【事件の表示】
　平成　５年特許願第１０５８１４号「コンピュータ断層撮影システムで画像を作成する方法と装置」拒絶査定不服審判事件〔平成　６年　１月２５日出願公開、特開平　６−　１４９１２〕について、次のとおり審決する。
【結　論】
　本件審判の請求は、成り立たない。
【理　由】
１．手続の経緯・本願発明
　本願は、平成５年５月７日（パリ条約による優先権主張１９９２年５月８日、米国）の出願であって、平成１５年１月２３日付け及び平成１５年８月６日付けの手続補正書によって補正された明細書及び図面の記載からみて、その請求項１−１１に係る発明は、特許請求の範囲の請求項１−１１に記載されたとおりのものであり、請求項１に係る発明（以下「本願発明」という）は次のものである。
　「【請求項１】イメージング対象のまわりに回転し得るガントリ上に規則的に間隔を置いて配置された複数のＸ線検出器に対向するＸ線源をそなえ、該Ｘ線源が第一および第２の焦点の各々からＸ線を放射したときに、イメージング対象に対して異なる角度位置の検出器からの信号により形成される第一及び第二セットの投影であって、該第二セットの投影に含まれる各投影が前記第一セットの投影とインタレース可能である第一及び第二セットの投影を取得するために使用することができる断層撮影イメージングシステムで、画像を作成する方法に於いて、
　第一セットの投影をフィルタリングし、フィルタリング処理された第一セットの投影を生成するステップ、
　第二セットの投影をフィルタリングし、フィルタリング処理された第二セットの投影を生成するステップ、
　上記フィルタリング処理された第一セットの投影と上記フィルタリング処理された第二セットの投影を組合わせることにより、合成の投影群を得るステップ、および
　上記合成の投影群から画像を再構成するステップを含むことを特徴とする画像作成方法。」
　
２．引用刊行物
　これに対して、原査定の拒絶の理由に引用された、本願出願日前に頒布された刊行物は次のものである。
　
　刊行物１：欧州特許出願公開第４６７５３２号明細書
　　　　　　（１９９２年１月２２日公開）
　
　刊行物１には、日本語訳すると、
　【０００４】
　「獲得された断層撮影用投影群は、本技術分野で知られている再構成アルゴリズムに従ってスライス画像を「再構成」するためにコンピュータ処理用に数値形式で一般に記憶される。ファンビームの投影からなる投影群はファンビーム再構成技術によって直接画像に再構成されたり、または投影の強度データは平行ビームに分類され、平行ビーム再構成技術によって再構成される。この再構成された断層撮影画像は通常のＣＲＴ管によって表示されたり、またはコンピュータ制御式カメラによってフィルム上の記録に変換される。」（明細書第１欄第３３−４５行）、
　
　【０００６】
　「被撮像体の中心近くで定められ、検出器のピッチによって決定されるビームの間隔はＣＴシステムの空間サンプリング周波数を制御する。上述した１／ａの空間帯域制限を前提とした場合、サンプリング周波数は再構成画像におけるエイリアシングの影響を避けるためにナイキスト（Nyquist ）のサンプリングに従って約２／ａでなければならない。従って、エイリアシングを除去するにはビーム幅の半分だけ離れている距離でビームをサンプリングまたは読み取ることが必要である。通常、ビーム幅はビーム間隔にほぼ等しいように最適化されているので、サンプリングはビーム間隔当り２倍で理想的に実行される。このサンプリングを以下「ダブルサンプリング」と称する。」（明細書第１欄第５６行−第２欄第１１行）、
　
　【０００７】
　「ダブルサンプリングを達成する概念的に簡単な方法は、最初のサンプルの後に検出素子のピッチの半分だけ検出素子をシフトして、第２のサンプルをとることである。この方法では、各ビームはその幅（および間隔）において２倍でサンプリングされる。それにも関わらず、検出素子をそのピッチ（典型的には、１ｍｍ台の）半分だけ迅速かつ正確に動かす場合に発生しやすい機械的な問題によってこの方法を実行不可能にしている。むしろ、他の２つの方法が使用されている。」（明細書第２欄第１２−２０行）、
　
　【００１４】
　「【発明の概要】本発明は、焦点スポットの偏移に伴なう従来の欠点を有することなくデータの空間解像度を改良した断層撮影投影データを獲得する方法および装置に関する。特に、断層撮像システムは回転中心の周りに回転することができる構台（gantry）上に設けられた対向するｘ線源と複数の一定間隔で設けられたｘ線検出素子を有している。ｘ線源は、焦点スポットを偏向させることによって、または他の方法によって、ほぼ構台の回転平面内で構台の回転に対する接線に沿って構台に対して動かすことができる。」（明細書第３欄第２８−４０行）、
　
　【００１５】
　「第１の投影は構台が角度ｄＴだけ回転する間に得られる。それから、ｘ線源の位置が距離ｗだけ偏移され、第２の投影が得られる。角度ｄＴおよび距離ｗは、第２の投影が第１の投影とインターレース（interlace ）するように選択される。」（明細書第３欄第４１−４６行）、
　
　【００１６】
　「従って、本発明の目的は、投影の幾何学的完全性を損なうことなく、ＣＴ投影の空間解像度を改良することにある。構台の回転角度ｄＴおよび偏移距離ｗを適当に選択することによって、偏移後の投影データは第１の投影データと一致し、第１の投影データと偏移後の投影データを組み合わせたものは検出器間の間隔を低減し、従って空間解像度を改良した投影と区別することができない。」（明細書第３欄第４７−５５行）、
　
　【００３８】
　「偏移の速度に対してデータ獲得により課せられる時間の制約がない場合、偏移後の投影からのデータを初めの偏移前の投影のデータと整列（align）させることは可能である。図６を参照すると、偏移前の最初の投影ｎに対する構台の回転量ｄＴは値ｄＴ’に制限され、偏移前の投影の開始位置４４の投影線５０は偏移後の投影の開始位置４４’の投影線５０’と一致している。このような状態は、「インターレース(interlace) 」と称する。」（明細書第８欄第９−１９行）、　
　
　【００５１】
　「インターレース状態における検出器列１８に対する焦点スポット１１の移動の幾何学的関係は図１０を参照することによって理解することができる。上述した式（７）から構台１６はまず角度ｄＴ’＝ｓＰ／Ｒd だけ回転し、各検出素子２６は距離Ｒd （ｓＰ／Ｒd ）＝ｓＰだけシフトし、焦点スポット１１は距離Ｒs （ｓＰ／Ｒd ）＝ｓＰ（Ｒs ／Ｒd ）だけシフトする。そして、焦点スポット１１は構台１６の回転によって反対方向に生ずる焦点スポット１１の上述した移動に等しい、式（９）による正確な距離ｗ＝ｓＰ（Ｒs ／Ｒd ）だけ偏移する。従って、焦点スポット１１は空間的に同じ絶対位置に戻るが、検出素子２６はｓＰだけ、例えば、ｓ＝１／２である場合には検出素子のピッチの半分だけシフトさせられる。」（明細書第９欄第５１−第１０欄第１１行）、
　が記載されている。
　
　（注：段落【……】表示は、便宜上当審で付与したものであり、刊行物１のパテントファミリである特開平４−２３１９４０号公報での段落表示に準拠している）
　
３．対比・検討
　本願発明と刊行物１に記載された発明を対比すると、
ア）刊行物１の【００１４】における「回転中心の周りに回転することができる構台（gantry）上に設けられた対向するｘ線源と複数の一定間隔で設けられたｘ線検出素子を有している」が、本願発明の「イメージング対象のまわりに回転し得るガントリ上に規則的に間隔を置いて配置された複数のＸ線検出器に対向するＸ線源をそなえ」に相当し、
　
イ）刊行物１の【００３８】での「偏移前の投影」、「偏移後の投影」、「偏移前の最初の投影ｎに対する構台の回転量ｄＴは値ｄＴ’に制限され、偏移前の投影の開始位置４４の投影線５０は偏移後の投影の開始位置４４’の投影線５０’と一致しているというインターレース(interlace)の状態であること」が、本願発明の「第一セットの投影」、「第二セットの投影」、「第二セットに含まれる投影に含まれる各投影が第一セットの投影とインターレース可能である」に相当し、
　
ウ）刊行物１の【００３８】で、偏移前と偏移後で、構台の回転位置は変わっているから、イメージング対象に対して異なる角度位置の検出器からの信号により偏移前の投影と偏移後の投影が形成されることは明らかであり、
　
エ）刊行物１の【００１５】に、偏移前と偏移後でｘ線源の位置が距離ｗだけ偏移されることが記載され、
　
オ）さらにまた刊行物１の【００１６】の「第１の投影データと偏移後の投影データを組み合わせ」という記載において、第１の投影データというのは、偏移前の投影データのことと認められるから前記「組み合わせ」は、本願発明の「第一セットの投影と第二セットの投影を組合わせ」に相当し、
　
カ）刊行物１の【００１４】の「データの空間解像度を改良した断層撮影投影データを獲得する方法および装置に関する」という記載は、第１の投影データ（偏移前の投影データである）と偏移後の投影データを組み合わせてなる空間解像度を改良した断層撮影投影データを獲得することを意味し、獲得目的が、刊行物１の【０００４】に記載の、「獲得された断層撮影用投影群は、本技術分野で知られている再構成アルゴリズムに従ってスライス画像を「再構成」するためにコンピュータ処理用に数値形式で一般に記憶される。ファンビームの投影からなる投影群はファンビーム再構成技術によって直接画像に再構成されたり、または投影の強度データは平行ビームに分類され、平行ビーム再構成技術によって再構成される。」を実現するためであることは、自明であるから、
　
　両者は、
　イメージング対象のまわりに回転し得るガントリ上に規則的に間隔を置いて配置された複数のＸ線検出器に対向するＸ線源をそなえ、該Ｘ線源が第一および第２の焦点の各々からＸ線を放射したときに、イメージング対象に対して異なる角度位置の検出器からの信号により形成される第一及び第二セットの投影であって、該第二セットの投影に含まれる各投影が前記第一セットの投影とインタレース可能である第一及び第二セットの投影を取得するために使用することができる断層撮影イメージングシステムで、画像を作成する方法に於いて、第一セットの投影と第二セットの投影を組合わせることにより、合成の投影群を得るステップ、および
　上記合成の投影群から画像を再構成するステップを含むことを特徴とする画像作成方法、
　である点で一致し、次の点で相違する。
　
　相違点
　本願発明は、第一セットの投影をフィルタリングし、フィルタリング処理された第一セットの投影を生成するステップ、
　第二セットの投影をフィルタリングし、フィルタリング処理された第二セットの投影を生成するステップ、
　上記フィルタリング処理された第一セットの投影と上記フィルタリング処理された第二セットの投影を組合わせることにより、合成の投影群を得るステップ、
　を含むものであるのに、
　刊行物１記載の発明は、
　第一セットの投影と第二セットの投影を組み合わせることにより、合成の投影群を得るステップ、を含むことしか記載がない点。
　
　相違点について
　前記相違点について検討すると、断層撮影の技術分野において、投影データを用いて画像再構成をするに際して、ｘ線検出器出力を予めフィルタリング処理するという前処理を施して投影データを作成することは、従来周知である。
　［周知例１：実願昭６３−１４３３０６号（実開平２−６３８１６号）のマイクロフィルムにおける明細書第２頁第１−１３行に「Ｘ線ＣＴ装置のデータ収集装置は、多チャンネルのＸ線検出器から得た透過Ｘ線強度に関する信号を増幅、Ａ／Ｄ変換してコンピュータ（データ処理・画像再構成演算を行う）に送るものであるが、Ａ／Ｄ変換のサンプリング周波数の１／２より高い周波数成分が信号に含まれていると、折り返し誤差（Aliasing Error）が生じるので、広域カットフィルタ（Anti-Aliasing Filter）を備えるようにしている。従来では、このフィルタとして、多数のＯＰアンプと抵抗、コンデンサ（Ｒ、Ｃ）により構成された高利得のアクティブフィルタが用いられている。」と記載がある。
　周知例２：実願平１−２２６９４号（実開平２−１１４０１８号）のマイクロフィルムに係る考案は、Ｘ線ＣＴのデータ収集装置に係るものであるが、その明細書第５頁第２−１１行に「各検出素子の出力は、各々に設けられたフィルタ回路１６に導かれ、増幅かつフィルタリング処理されたあと、マルチプレクサ１８により選択されて、順次、Ａ／Ｄ変換器２２に送り込まれる。……。第３図は検出器のｃｈ１からｃｈＮまで順にＡ／Ｄ変換して１ビュー分の投影データを得るタイミングを例示している。」と記載がある。］　したがって、刊行物１記載の発明において、各ｘ線検出器の出力を各々に設けられたフィルタ回路に導き、フィルタリング処理して後、Ａ／Ｄ変換して投影データを作成することは、当業者が普通に採用する事項であり、その場合、まず、偏移前の投影がフィルタリングされフィルタリング処理された偏移前の投影が生成され、次いで偏移後の投影がフィルタリングされてフィルタリング処理された偏移後の投影が生成され、その後、フィルタリング処理された偏移前の投影データ（第１の投影データ）と、フィルタリング処理された偏移後の投影データが組み合わされるものであることは、当然のことである。
　
　したがって、本願発明は、刊行物１記載の発明及び従来周知技術に基づき当業者が容易に発明できたものである。
　
４．むすび
　したがって、本願請求項１に係る発明は刊行物１に記載された発明及び従来周知技術に基づいて当業者が容易に発明をすることができたものであるので、その余の請求項について検討するまでもなく特許法第２９条第２項の規定により特許を受けることができない。